(57)【要約】【課題】従来の放送受信装置は、表示されるチャンネル数が多いことから、視聴者が所望する番組を手軽に選択することはできなかった。【解決手段】この発明の放送受信装置は、検索された番組が属するチャンネル番号、放送日、放送開始時刻及び番組の放送時間の長さ、番組カテゴリーを前記番組情報に含まれるチャンネル番号識別情報、放送日情報、放送開始時刻及び番組の放送時間の長さを示すレングス情報、番組カテゴリー情報からそれぞれより抽出する該当番号情報を抽出し、日付及び時刻をパラメータとして、番組選択画面を出力する際、チャンネル番号抽出手段により抽出されたチャンネル番号を、番組カテゴリー設定手段で設定された番組カテゴリー毎に纏めて一覧表示出力する出力手段とを備えるようにしている。【選択図】　図１
2004032624.tif 000002
【特許請求の範囲】
【請求項１】
番組情報を受信し、受信した番組情報に基づいて番組選択画面を出力する放送受信装置において、
チャンネル番号識別情報、放送日情報、放送開始時刻及び番組の放送時間の長さを示すレングス情報、番組カテゴリー情報が含まれる番組情報を受信する番組情報受信手段と、
番組のカテゴリーが設定される番組カテゴリー設定手段と、
前記番組情報受信手段で受信された番組カテゴリー情報と、前記番組カテゴリー設定手段で設定された番組カテゴリーとを比較し、同一の番組カテゴリーに該当する番組を検索する番組カテゴリー検索手段と、
前記検索された番組が属するチャンネル番号、放送日、放送開始時刻及び番組の放送時間の長さ、番組カテゴリーを前記番組情報に含まれるチャンネル番号識別情報、放送日情報、放送開始時刻及び番組の放送時間の長さを示すレングス情報、番組カテゴリー情報からそれぞれより抽出する該当番号情報抽出手段と、
前記該当番号情報抽出手段で抽出されたチャンネル番号、放送日、放送開始時刻及び番組の放送時間の長さを示すレングス情報に基づいて、日付及び時刻をパラメータとして、前記番組選択画面を出力する際、前記チャンネル番号抽出手段により抽出されたチャンネル番号を、前記番組カテゴリー設定手段で設定された番組カテゴリー毎に纏めて一覧表示出力する出力手段とを備え、番組選択画面を出力することを特徴とする放送受信装置。
【請求項２】
番組情報を受信し、受信した番組情報に基づいて番組選択画面を出力する放送受信装置において、
チャンネル番号識別情報、放送日情報、放送開始時刻及び番組の放送時間の長さを示すレングス情報、番組カテゴリー情報が含まれる番組情報を受信する番組情報受信手段と、
番組のカテゴリーが設定される番組カテゴリー設定手段と、
前記番組情報受信手段で受信された番組カテゴリー情報と、前記番組カテゴリー設定手段で設定された番組カテゴリーとを比較し、同一の番組カテゴリーに該当する番組を検索する番組カテゴリー検索手段と、
前記検索された番組が属するチャンネル番号、放送日、放送開始時刻及び番組の放送時間の長さ、番組カテゴリーを前記番組情報に含まれるチャンネル番号識別情報、放送日情報、放送開始時刻及び番組の放送時間の長さを示すレングス情報、番組カテゴリー情報からそれぞれより抽出する該当番号情報抽出手段と、
前記番組カテゴリー検索手段で検索された前記同一の番組カテゴリーに該当する番組と同一タイトルの番組を、前記番組情報受信手段で受信された番組情報から検索する同一番組タイトル検索手段と、
前記検索された番組が属するチャンネル番号、放送日、放送開始時刻及び番組の放送時間の長さ、番組カテゴリーを前記番組情報に含まれるチャンネル番号識別情報、放送日情報、放送開始時刻及び番組の放送時間の長さを示すレングス情報、番組カテゴリー情報からそれぞれより抽出する該当番号情報抽出手段と、
前記該当番号情報抽出手段で抽出されたチャンネル番号を、前記番組タイトル検索手段で検索された同一タイトル毎に纏め、番組の放送開始時刻順に一覧表示出力する出力手段とを備え、番組選択画面を出力することを特徴とする放送受信装置。
【請求項３】
前記番組カテゴリーの設定に複数の番組カテゴリーが設定されている場合、現在出力されている番組カテゴリー毎に纏められた番組選択画面から、他の番組カテゴリー設定により纏められている番組選択画面に切り換える切り換え手段を備えることを特徴とする請求項１または２に記載の放送受信装置。
【請求項４】
チャンネル番号識別情報、放送日情報、放送開始時刻及び番組の放送時間の長さを示すレングス情報、番組カテゴリー情報が含まれる番組情報を受信する番組情報受信ステップと、
番組のカテゴリーが設定される番組カテゴリー設定ステップと、
前記受信された番組カテゴリー情報と、前記設定された番組カテゴリーとを比較し、同一の番組カテゴリーに該当する番組を検索する番組カテゴリー検索ステップと、
前記検索された番組が属するチャンネル番号、放送日、放送開始時刻及び番組の放送時間の長さ、番組カテゴリーを前記番組情報に含まれるチャンネル番号識別情報、放送日情報、放送開始時刻及び番組の放送時間の長さを示すレングス情報、番組カテゴリー情報からそれぞれより抽出する該当番号情報抽出ステップと、
前記抽出されたチャンネル番号、放送日、放送開始時刻及び番組の放送時間の長さを示すレングス情報に基づいて、日付及び時刻をパラメータとして、前記番組選択画面を出力する際、前記チャンネル番号抽出手段により抽出されたチャンネル番号を、前記番組カテゴリー設定手段で設定された番組カテゴリー毎に纏めて一覧表示出力する出力ステップとを備えたことを特徴とする放送受信方法。
【請求項５】
チャンネル番号識別情報、放送日情報、放送開始時刻及び番組の放送時間の長さを示すレングス情報、番組カテゴリー情報が含まれる番組情報を受信する番組情報受信ステップと、
番組のカテゴリーが設定される番組カテゴリー設定ステップと、
前記受信された番組カテゴリー情報と、前記設定された番組カテゴリーとを比較し、同一の番組カテゴリーに該当する番組を検索する番組カテゴリー検索ステップと、
前記検索された番組が属するチャンネル番号、放送日、放送開始時刻及び番組の放送時間の長さ、番組カテゴリーを前記番組情報に含まれるチャンネル番号識別情報、放送日情報、放送開始時刻及び番組の放送時間の長さを示すレングス情報、番組カテゴリー情報からそれぞれより抽出する該当番号情報抽出ステップと、
前記検索された前記同一の番組カテゴリーに該当する番組と同一タイトルの番組を、前記受信された番組情報から検索する同一番組タイトル検索ステップと、
前記検索された番組が属するチャンネル番号、放送日、放送開始時刻及び番組の放送時間の長さ、番組カテゴリーを前記番組情報に含まれるチャンネル番号識別情報、放送日情報、放送開始時刻及び番組の放送時間の長さを示すレングス情報、番組カテゴリー情報からそれぞれより抽出する該当番号情報抽出ステップと、
前記抽出されたチャンネル番号を、前記検索された同一タイトル毎に纏め、番組の放送開始時刻順に一覧表示出力する出力ステップとを備えたことを特徴とする放送受信方法。
【請求項６】
前記番組カテゴリーの設定に複数の番組カテゴリーが設定されている場合、現在出力されている番組カテゴリー毎に纏められた番組選択画面から、他の番組カテゴリー設定により纏められている番組選択画面に切り換える切り換えステップを備えることを特徴とする請求項４または５に記載の放送受信方法。
【発明の詳細な説明】
【０００１】
【発明の属する技術分野】
この発明は放送の受信に係り、特に多チャンネル放送受信における番組表の表示に関する。
【０００２】
【従来の技術】
近来、ＢＳデジタル放送やＣＳデジタル放送に代表されるように、テレビ放送のデジタル化が進められている。そして、映像や音声がデジタル化、圧縮されて伝送されるシステム等により、多チャンネル化が進んでいる。
【０００３】
このような伝送システムを用いたデジタルテレビシステムは、上述のように映像、音声がデジタル化され、圧縮されてデジタルデータとして伝送される。また、映像、音声データに加え、現在放送されている放送番組や将来放送予定のいわゆる番組情報も伝送されている。
【０００４】
番組情報には、番組チャンネル識別情報（チャンネル番号や名称）、番組識別番号（ｅｖｅｎｔ＿ｉｄ）、番組タイトル情報、放送日情報、放送開始時刻及び番組の長さ情報、番組カテゴリー情報、及び番組詳細説明情報等が含まれている。
【０００５】
また、多チャンネル放送の特徴を生かし、複数のチャンネルで開始時刻を少しずらして同一の番組の放送を行うＮＶＯＤ（ニア・ビデオ・オン・デマンオ）方式の放送も行われている。これにより、視聴者は見たい番組を見逃した場合でも、少し待てば、番組を初めから視聴することが可能である。
【０００６】
このように、ＢＳデジタル放送やＣＳデジタル放送では、多チャンネル化が推進され、さまざまな放送形態で運用されている。そして、多くの番組の中から視聴者が好みの番組を容易に選択できるようにするために、番組情報に基づく様々な選局方法が提案されている。
【０００７】
番組情報に基づく選局方法の一例として、ＥＰＧ（Ｅｌｅｃｔｒｏｎｉｃ　Ｐｒｏｇｒａｍ　Ｇｕｉｄｅ：電子番組ガイド）が知られている。このＥＰＧの機能は、現在、例えばＢＳデジタル放送受信機（放送受信装置）及びＣＳデジタル放送受信機（放送受信装置）に搭載されている。
【０００８】
ここで、従来の放送受信機（放送受信装置）に搭載されているＥＰＧ画面について図面を用いて説明する。
【０００９】
図１０は従来のデジタル放送を受信する放送受信装置の表示画面に表示されるＥＰＧ画面の番組表の例を示す図である。ここでは、現在時刻を含む２時間分、７チャンネル分の番組が表示されている。
【００１０】
符号５１は放送日時欄であり、番組表の共通項目である放送日時を示している。符号５１ａは月日表示であり、７／２（日）を表示している。符号５１ｂは時間帯表示であり、ここではＰＭ６：００帯とＰＭ７：００帯の２時間分を表示している。
【００１１】
符号５２はチャンネル表示欄である。月日表示５１ａの下側には、チャンネル番号５２ａとチャンネルロゴ５２ｂからなるチャンネル表示欄５２が設けられている。また、時間帯表示欄５１ｂの下側には、各チャンネル毎、時間帯毎に番組名が表示される番組タイトル欄５３が設けられている。
【００１２】
放送開始日時欄５１の上部には、番組を選択するためのカーソル５６で選択された番組の情報を表示するカーソル表示欄５４が設けられている。このカーソル表示欄５４にはチャンネル番号５４ａ、チャンネルロゴ５４ｂ、番組タイトル５４ｃ、番組の放送開始と終了時刻５４ｄ、及び現在時刻５４ｅが表示されている。
【００１３】
さらに、チャンネル表示欄５２と番組タイトル欄５３の下部には、番組選択などの操作説明文を記載した操作説明欄５５が設けられている。
【００１４】
すなわち、図１０に示す従来の放送受信装置においては、縦軸にチャンネル番号を、また横軸に時間を取ったマトリクス状に表示されたＥＰＧ画面が用いられている。また、図１０に示すＥＰＧ画面においては、チャンネルの一覧性を重視し、番組チャンネル識別情報に基づきチャンネル番号の小さいものから順に表示されている。
【００１５】
また、横軸に時間軸を取ることにより時間推移における番組編成が視覚的に理解できるように表示されている。このＥＰＧ画面のマトリクス上を移動する選択カーソル５６は、デジタル受信機をコントロールするリモコンに設けられた上下左右カーソルキーのユーザ操作により、移動する。
【００１６】
図１１は従来のデジタル放送を受信する放送受信装置の表示画面に表示されるＥＰＧ画面の番組表の、他の例を示す図である。ここでは、図１０と同じ構成の部分は同一の符号を付して、その説明は省略する。
【００１７】
図１１は、番組カテゴリー情報により検索した結果をＥＰＧ画面に表示している。この例では、番組カテゴリーとして、「洋楽」、「野球」、「洋画」の番組カテゴリーを検索キーとして放送されている全てのチャンネルに対し検索を行い、その結果抽出されたチャンネルのみをＥＰＧ画面に表示している。
【００１８】
検索により抽出されたチャンネルにおいては、抽出されたチャンネル番号において、チャンネル番号の小さいものから順に表示を行っており、番組欄５３ａ、番組欄５３ｄには「洋楽」で検索された「ポップス　ベストヒット」、「洋楽ヒットチャート」が表示され、番組欄５３ｂ、番組欄５３ｇには「野球」で検索された「プロ野球中継　巨人―阪神」、「プロ野球中継　広島―中日」が表示され、番組欄５３ｃ、番組欄５３ｅ、番組欄５３ｆには「洋画」で検索された「ロストワールド」、「レインマン」、「Ｅ．Ｔ．」が表示されている。
【００１９】
ここで、チャンネル番号表示欄５２には、前記各番組カテゴリーで検索された、それぞれの番組が属するチャンネル番号が番号順に表示されている。
【００２０】
【発明が解決しようとする課題】
上記説明したように、ＢＳデジタル放送やＣＳデジタル放送等の、多チャンネル放送の受信において、ＥＰＧを受信装置に備えることは、視聴したい番組を視聴者が容易に選択できる手法である。しかし、従来の放送受信装置においては、表示されるチャンネル数が多いことから、視聴者が所望する番組を手軽に選択することはできなかった。
【００２１】
例えば、上記図１０で説明した従来の放送受信装置におけるＥＰＧ画面では、チャンネル番号順に並んで表示されているため、所望の番組を選択する場合は、縦方向に画面をスクロールしながら所望の番組を視聴者が探さなければならず、操作上大変不便であるという問題があった。
【００２２】
また、上記図１１で説明した従来の放送受信装置におけるＥＰＧ画面では、番組カテゴリーを検索キーとして表示されるチャンネル番号が抽出されているため、ある程度は視聴者が所望する番組が絞り込まれているものの、抽出されたチャンネル番号の表示形態がやはりチャンネル番号順となっていた。このため、同一番組カテゴリーに該当する番組が存在するチャンネルでもチャンネル番号が飛んでいると１画面内に収まらず、画面スクロール操作を伴う場合があった。また、検索結果が視覚的に把握しづらいという欠点もあった。
【００２３】
従来の技術として特開平１１−２３４５８５号公報が提案されている。この提案においては上記説明した従来のＥＰＧと同様の技術が開示されている。また、特開平２００２−９４８９３号が提案されている。この提案においては番組毎に演算された優先度に基づいて、番組表の表示を行うＥＰＧに関する技術が開示されている。しかしながら、どちらの技術においても番組選択の容易性という点について、実用上の意味で、まだ充分であるとは言えなかった。
【００２４】
【課題を解決するための手段】
この発明に係る放送受信装置は、チャンネル番号識別情報、放送日情報、放送開始時刻及び番組の放送時間の長さを示すレングス情報、番組カテゴリー情報が含まれる番組情報を受信する番組情報受信手段と、番組のカテゴリーが設定される番組カテゴリー設定手段と、前記番組情報受信手段で受信された番組カテゴリー情報と、前記番組カテゴリー設定手段で設定された番組カテゴリーとを比較し、同一の番組カテゴリーに該当する番組を検索する番組カテゴリー検索手段と、前記検索された番組が属するチャンネル番号、放送日、放送開始時刻及び番組の放送時間の長さ、番組カテゴリーを前記番組情報に含まれるチャンネル番号識別情報、放送日情報、放送開始時刻及び番組の放送時間の長さを示すレングス情報、番組カテゴリー情報からそれぞれより抽出する該当番号情報抽出手段と、前記該当番号情報抽出手段で抽出されたチャンネル番号、放送日、放送開始時刻及び番組の放送時間の長さを示すレングス情報に基づいて、日付及び時刻をパラメータとして、前記番組選択画面を出力する際、前記チャンネル番号抽出手段により抽出されたチャンネル番号を、前記番組カテゴリー設定手段で設定された番組カテゴリー毎に纏めて一覧表示出力する出力手段とを備えるように構成される。
【００２５】
この発明に係る放送受信方法は、チャンネル番号識別情報、放送日情報、放送開始時刻及び番組の放送時間の長さを示すレングス情報、番組カテゴリー情報が含まれる番組情報を受信する番組情報受信ステップと、番組のカテゴリーが設定される番組カテゴリー設定ステップと、前記受信された番組カテゴリー情報と、前記設定された番組カテゴリーとを比較し、同一の番組カテゴリーに該当する番組を検索する番組カテゴリー検索ステップと、前記検索された番組が属するチャンネル番号、放送日、放送開始時刻及び番組の放送時間の長さ、番組カテゴリーを前記番組情報に含まれるチャンネル番号識別情報、放送日情報、放送開始時刻及び番組の放送時間の長さを示すレングス情報、番組カテゴリー情報からそれぞれより抽出する該当番号情報抽出ステップと、前記抽出されたチャンネル番号、放送日、放送開始時刻及び番組の放送時間の長さを示すレングス情報に基づいて、日付及び時刻をパラメータとして、前記番組選択画面を出力する際、前記チャンネル番号抽出手段により抽出されたチャンネル番号を、前記番組カテゴリー設定手段で設定された番組カテゴリー毎に纏めて一覧表示出力する出力ステップとを備えるように構成される。
【００２６】
【発明の実施の形態】
以下、図面を参照してこの発明の実施の形態について詳細に説明する。
図１はこの発明に係る放送受信装置に係るデジタル放送受信システムの概略構成を示すブロック図である。ここではＢＳデジタル放送受信機を例にとり説明するが、番組表を表示画面に表示して番組選択を行う機能を搭載する放送受信装置においては、この発明を応用することが可能である。またここでは、デジタル放送受信機の例として、受像装置（表示装置）を内蔵しないセットトップボッス（ＳＴＢ）を用いて説明を行うが、表示装置を受像機に内蔵する形態においてもこの発明を実施することが可能である。
【００２７】
符号１１はアンテナ、符号１２はデジタル放送受信装置（ＳＴＢ）、符号１３はアナログのテレビ受像機（表示装置）、符号１４はビデオ録画記録機（ＶＴＲ装置）である。
【００２８】
ここでのデジタル放送受信システムは、アンテナ１１、ＳＴＢ１２、アナログテレビ受像機１３、及びビデオ録画記録機１４を備えている。アンテナ１１は、図示しないＢＳデジタル放送衛星から伝送されるデジタルテレビ信号を受信する。このデジタル信号には、番組放送としての映像信号及び音声信号が含まれており、また前記番組放送と関連した番組情報が重畳されている。
【００２９】
この番組情報は、放送番組に関する情報であり、放送番組のチャンネル番号、並びにチャンネルの名称を示すチャンネル識別情報、個々の放送番組を特定するための番組識別番号（ｅｖｅｎｔ＿ｉｄ）情報、番組タイトルを示す番組タイトル情報、番組の放送日を示す番組放送日時情報、番組の放送開始時刻を示す番組放送開始時刻情報、番組の放送時間の長さを示すレングス情報、および個々の放送番組における番組カテゴリー情報などが含まれている。
【００３０】
そして、この番組情報に基づいて、後述するＥＰＧ画面が作成（表示）される。
ＳＴＢ１２は、デジタル信号再生用のＳＴＢである。アナログテレビ受像機１３は、ＳＴＢ１２で再生され、アナログ信号に変換された映像・音声信号を再生表示する。ビデオ録画記録機１４は、ＳＴＢ１２で再生されたアナログ信号に変換されたテレビ信号を録画記録する。
【００３１】
ＳＴＢ１２は、アンテナ１１に接続されたチューナー２１と、チューナー２１に接続された８ＰＳＫ復調器２２と、８ＰＳＫ復調器２２に接続されたエラー訂正器２３と、エラー訂正器２３に接続されたデスクランブラ２４と、デスクランブラ２４に接続されたパケット分離器２５と、パケット分離器２５に接続されたパケット分離メモリ２６及びＭＰＥＧデコーダ２７と、ＭＰＥＧデコーダ２７に接続されたＭＰＥＧメモリ２８とビデオ信号デジタル／アナログ変換器（以下、ビデオＤ／Ａという）２９及びオーディオ信号デジタル／アナログ変換器（以下、オーディアＤ／Ａという）３０と、ＭＰＥＧデコーダ２７と前記ビデオＤ／Ａ２９の間に接続された表示制御器３１とからなるデジタル信号再生部分と、チューナー２１、８ＰＳＫ復調器２２、エラー訂正器２３、デスクランブラ２４、パケット分離器２５、ＭＰＥＧデコーダ２７、及び表示制御器３１に接続されたバス回線３２と、バス回線３２に接続したＣＰＵ３３、プログラムメモリ３４、ワークメモリ３５、データメモリ３６（データメモリ３６ａおよび番組予約メモリ３６ａ）、漢字ＲＯＭ３７、入出力制御３８、ＩＣカード制御３９、及びモデム４０と、入出力制御３８に接続したリモートコントロール・表示パネル（以下、リモコン・表示パネルという）４１と前記モデム４０に接続された電話回線４２とから成る制御マイコン部分とを備えている。
【００３２】
図１に示すデジタル放送受信システムの概略は次のとおりである。アンテナ１１で受信され中間周波数に変換されたデジタルテレビ信号は、チューナー２１に供給される。ここで視聴者の好みのチャンネルが選局され、Ｉ／Ｑ（Ｉｎ　ｐｈａｓｅ／Ｑｕａｄｒａｔｕｒｅ　ｐｈａｓｅ）信号に復調される。
【００３３】
Ｉ／Ｑ信号は、８ＰＳＫ復調器２２でデジタルデータに復調され、エラー訂正器２３に供給される。このエラー訂正器２３は、デジタルデータのエラー検出及びエラー訂正を行うと共に、復調されたデジタルデータをトランスポートストリームデータとしてデスクランブラ２４に供給する。
【００３４】
このデスクランブラ２４は、伝送された信号が暗号化されている場合には、伝送された信号の暗号解読を行い元の信号に復元し、パケット分離器２５に供給する。
【００３５】
パケット分離器２５は、パケット分離メモリ２６に記憶されているパケット分離手順に従い、トランスポートストリームデータから伝送されてきた番組の映像データ、音声データ、及び番組に付随する各種番組情報データをパケット毎に分離する。ここで各種番組情報データとは、放送される番組名や放送時間等が記述されており、放送受信装置等がこの情報を利用することによりＥＰＧ画面などを表示させることができる。
【００３６】
パケット分離器２５で分離された各パケットデータは、ＭＰＥＧデコーダ２７に供給される。このＭＰＥＧデコーダ２７は、前記ＭＰＥＧメモリ２８に記憶されている手順に従い、パケットデータを復号処理する。
【００３７】
ＭＰＥＧデコーダ２７で復号された映像信号はビデオＤ／Ａ２９でデジタル信号からアナログ信号に変換され、同様にＭＰＥＧデコーダ２７で復号された音声信号はオーディオＤ／Ａ３０でデジタル信号からアナログ信号に変換されて、アナログテレビ受像機１３とビデオ録画記録機１４に出力される。
【００３８】
ＭＰＥＧデコーダ２７で復号された前記映像信号は、表示制御器３１の表示制御により、視聴者が要求した表示形式に応じて前記ビデオＤ／Ａ２９に出力される。
【００３９】
制御マイコン部分は、ＣＰＵ３３に搭載されたリアルタイムＯＳとプログラムメモリ３４に記憶されている処理手順に従い、前記バス回線３２を介して、デジタル信号再生部分を効率よく処理し、かつ、視聴者の要求するＥＰＧ画面や番組の映像表示を行うものである。この制御マイコン部分の前記ワークメモリ３５には、アナログテレビ受像機１３の画面に表示される映像の、表示形態毎の表示形式の生成手順を記憶されている。
【００４０】
データメモリ３６は、前記ワークメモリ３５の表示形態に応じたデータを記憶するメモリで、前記漢字ＲＯＭ３７は、前記デジタルテレビ信号に含まれる番組情報からテレビ画面に表示する文字・数字等を生成する文字データが記憶されている。
【００４１】
入出力制御３８は、リモコン・表示パネル４１に設けられた赤外線信号受光部４１ａを介して入力される赤外線信号に前記マイコン制御部分を取り込んだり、ＳＴＢ１２に設けられた動作表示パネルを制御する機能を有している。
【００４２】
上記赤外線信号は、後述する（図６に示す）リモートコントローラ（以下、リモコンという）８０から出力される。このリモコン８０から出力される赤外線信号は、視聴者によるリモコン８０の操作に伴って生成される。
【００４３】
さらに、前記アンテナ１１で受信され、前記ＩＣカード制御３９によりＩＣカード３９ａに記憶されている視聴者番号や暗号解読キー等が読み取られ、伝送信号中の暗号解読許可条件との照合が行われると共に、デスクランブラ２４に暗号解読キーが供給される。
【００４４】
モデム４０は、有料放送を受信する際に、放送番組供給者に対して、課金情報を伝送したり、双方向データ放送サービスにおける双方向性の手段として電話回線４２に接続されている。
【００４５】
ここで、図６を参照して、リモコンの概略構成について簡単に説明する。
【００４６】
図６はこの発明に係る放送受信装置をコントロールするリモコンの概観図である。
【００４７】
リモコン８０には、赤外線信号出力部８０ａ、番組ガイド（ＥＰＧ）キー８０ｂ、カーソルキー８０ｃ、決定キー８０ｄ、カラーキー８０ｅ等が設けられ、視聴者（ユーザ）によって操作される。
【００４８】
次に、ＳＴＢ１２において、各種番組情報からＥＰＧが作成されるようすを説明する。
【００４９】
リモコン８０の操作に伴い、リモコン８０からＥＰＧ画面表示指令の赤外線信号が出力される。この赤外線信号が赤外線受光部４１ａで受光されると、ワークメモリ３５に番組表作成手順情報が取り込まれると共に、各放送チャンネルの重畳されている各種番組情報が取り込まれる。
【００５０】
ここで、ワークメモリ３５に取り込まれた番組表作成手順情報及び各種番組情報、並びに前記漢字ＲＯＭ３７に記憶された文字データに基づいて、前記ＭＰＥＧデコーダ２７と表示制御３１を介してアナログテレビ受像機１３にＥＰＧ画面が表示される。
【００５１】
図２はこの発明に係る放送受信装置から出力され、表示装置に表示されるＥＰＧ画面の一例を示す図である。
【００５２】
５３ａは特定の検索キー（番組カテゴリー：洋楽）で検索抽出された結果の表示例である。５３ｂは特定の検索キー（番組カテゴリー：野球）で検索抽出された結果の表示例である。特定の検索キー（番組カテゴリー：洋画）で検索抽出された結果の表示例である。
【００５３】
このように、表示されるチャンネルは番組カテゴリー毎に分類、纏めて表示される。この図２に示すＥＰＧ画面については後に詳しく説明する。
【００５４】
図３はこの発明に係る放送受信装置から出力され、表示装置に表示されるＥＰＧ画面の他の例を示す図である。
【００５５】
５３ａは特定の検索キー（番組カテゴリー：洋楽）で検索抽出された結果の表示例である。５３ｂは特定の検索キー（番組カテゴリー：野球）で検索抽出された結果の表示例である。特定の検索キー（番組カテゴリー：洋画）で検索抽出された結果の表示例である。
【００５６】
このように、表示されるチャンネルは番組カテゴリー毎に分類、纏めて表示される。また、同一カテゴリーの番組において、同一番組タイトル存在した場合は、時系列的に表示される。この図３に示すＥＰＧ画面については後に詳しく説明する。
【００５７】
ここで、放送受信装置における番組カテゴリーの設定について説明する。
【００５８】
図７はこの発明に係る放送受信装置における番組カテゴリーの設定のようすを説明する図である。
【００５９】
図７に示す表示画面は、ＳＴＢ１２に搭載されている設定メニューから起動される。この表示画面例は、ＥＰＧ画面生成時に使用する放送番組検索に用いる番組カテゴリー設定の一例を示したもので、各カテゴリー７０は、番組放送で用いられる種類の番組カテゴリーに該当する番組カテゴリーが表示されている。
【００６０】
ここで番組カテゴリー設定画面に表示されている各カテゴリー７０を、リモコン８０のカーソルキー８０ｃの操作に伴い、選択カーソル７２が各カテゴリー７０内を移動する。
【００６１】
ここで視聴者が検索キーに設定したい番組カテゴリー上に選択カーソル７２を移動し、リモコン８０の決定キー８０ｄを押すことにより検索キーとして設定される。
【００６２】
検索キーとして設定された番組カテゴリーは、検索カテゴリー設定表示欄７１の検索カテゴリー設定１（７１ａ）として設定され表示される。
【００６３】
また、上記操作を繰り返して行うことにより、同様に検索カテゴリー設定２、検索カテゴリー設定３が設定、表示される。設定された検索カテゴリーは、検索カテゴリー設定表示欄７１の検索カテゴリー設定２（７１ｂ）、検索カテゴリー設定３（７１ｃ）に設定され表示される。
【００６４】
この例では、検索カテゴリー設定１（７１ａ）に「洋楽」、検索カテゴリー設定２（７１ｂ）に「野球」、検索カテゴリー設定３（７１ｃ）に「洋画」が設定されているものとする。
【００６５】
また、図７では、３つの検索カテゴリーを設定する例を説明したが、設定する検索カテゴリーは特に３つという数字に限るものではなく、３つ以上、または、３つ以下でも良い。
【００６６】
次に、この発明に係るＥＰＧ画面表示の一例の表示手順について説明する。
【００６７】
図４はこの発明に係る放送受信装置におけるＥＰＧ画面表示の一例の表示手順を示すフローチャートである。
【００６８】
ＥＰＧ表示処理（開始）が選択されると符号ＳＴ１を付したステップへ進む。ステップＳＴ１では、アンテナ１１により番組情報が含まれたデジタル放送信号が受信される。
【００６９】
次に符号ＳＴ２を付したステップへ進む。ステップＳＴ２では、デジタル放送信号が受信されたことを前提として、視聴者の操作によってリモコン８０の番組ガイドキー８０ｂが押下される。これに伴い、ＥＰＧ画面表示処理動作が起動される。次に符号ＳＴ３を付したステップへ進む。
【００７０】
ステップＳＴ３では、ＥＰＧ画面表示処理動作が起動されると、ＳＴＢ１２に事前に設定されている検索キーの読み込み動作が行われる。前記検索キーには番組放送として送られてくる番組カテゴリーと同じ種類の番組カテゴリーがＳＴＢ１２で設定できるようになっている。検索キーとして使用する前記番組カテゴリー設定は、ＳＴＢ１２に搭載されている設定メニューにおいて事前に設定が可能な構成になっている。次に符号ＳＴ４を付したステップへ進む。
【００７１】
ステップＳＴ４では、受信されたデジタル放送信号から読み込まれた検索カテゴリー設定に従って、該当番組の検索抽出処理が行われる。次に符合ＳＴ５を付したステップへ進む。
【００７２】
ステップＳＴ５では、まず、図７に示す検索カテゴリー設定１（７１ａ）で検索抽出が行われ、該当番組が存在した場合は、ステップＳＴ６へ進む。該当番組が存在しない場合は、ステップＳＴ７へ進む。
【００７３】
ステップＳＴ６では、その該当番組における番組タイトル情報、該当番組が存在するチャンネル番号識別情報、番組放送の放送開始時間情報、番組放送の放送時間の長さを示すレングス情報及び番組カテゴリー情報が、抽出された該当番組における番組放送を特定するための番組識別番号（ｅｖｅｎｔ＿ｉｄ）に対して関連づけられてデータとして順次記憶されデータベース化される。検索カテゴリー設定１（７１ａ）で検索抽出が全て完了すると、ステップＳＴ７へ進む。
【００７４】
ステップＳＴ７では、ステツプＳＴ３で読み込まれた検索キー（番組カテゴリー）が他にもあるか否かを判断し、他にもあると判断された場合は、ステップＳＴ４へ戻る。上述した方法と同様な手順により、次の検索カテゴリー設定２（７１ｂ）、検索カテゴリー設定３（７１ｂ）においても、該当番組の検索抽出処理を実行する。ステツプＳＴ３で読み込まれた全ての検索キー（番組カテゴリー）の番組検索が終了するとステップＳＴ８へ進む。
【００７５】
ステップＳＴ８では、ステップＳＴ６で作成されたデータベースにおいて番組カテゴリー情報を用いてステップＳＴ３で読み込まれた検索キー（番組カテゴリー）毎にソートが行われる。次に符合ＳＴ９を付したステップへ進む。
【００７６】
ステップＳＴ９では、ＥＰＧ画面表示処理動作が行われる。ステップＳＴ８でソートされた結果を用い、図２に示すようなＥＰＧ画面が、アナログテレビ受像機１３に表示される。
【００７７】
ここで、上記図４を用いて説明したフローチャートの処理に基づいて表示されるＥＰＧ画面について、図２を参照して詳しく説明する。尚、図１０、図１１と同一な部分については同一の符号を付して、説明は省略する。
【００７８】
チャンネル表示欄５２には、デジタル放送信号で送られる全てのチャンネルで放送される番組について表示される。そして、ＳＴＢ１２に事前に設定された、視聴者が所望する番組カテゴリーを検索キーとして、検索キーを上記ステップＳＴ３にて読み込み、この検索キーに基づいて、デジタル放送信号で送られる全てのチャンネルで放送される番組について検索が行われる。そして、該当する番組が属するチャンネルを抽出し表示される。
【００７９】
ここで、チャンネル表示欄５２に表示されるチャンネル番号の表示優先順位は、事前に設定された検索キーの設定順となっている。つまり、この例の場合は、検索カテゴリー設定１に「洋楽」が設定されており、チャンネル表示欄５２の上部２つには、番組欄５３ａに示されるように「ポップス　ベストヒット」と「洋楽ヒットチャート」という番組カテゴリーが「洋楽」に該当する番組が属する１１１チャンネルと１１５チャンネルが表示される。
【００８０】
１１５チャンネルに続くチャンネル表示欄５２には、検索カテゴリー設定２に設定されている「野球」という番組カテゴリーに対し、番組欄５３ｂに示されるように「プロ野球中継　巨人―阪神」と「プロ野球中継　広島―中日」という番組カテゴリーが、すなわち「野球」に該当する番組が属する１１３チャンネルと５１４チャンネルが表示される。
【００８１】
また、５１４チャンネルに続くチャンネル表示欄５２には、検索カテゴリー設定３に設定されている「洋画」という番組カテゴリーに対し、番組欄５３ｃに示されるように「ロストワールド」と「レインマン」と「Ｅ．Ｔ．」という番組カテゴリーが、すなわち「洋画」に該当する番組が属する１１４チャンネルと１１６チャンネルと３３５チャンネルが表示される。
【００８２】
次に、図３に示すＥＰＧ画面の、他の表示例の表示手順について、フローチャートを参照してついて説明する。
【００８３】
図５はこの発明に係る放送受信装置におけるＥＰＧ画面表示の他の例の表示手順を示すフローチャートである。
【００８４】
ＥＰＧ表示処理（開始）が選択されると符号ＳＴ１を付したステップへ進む。ステップＳＴ１では、アンテナ１１により番組情報が含まれたデジタル放送信号が受信される。
【００８５】
次に符号ＳＴ２を付したステップへ進む。ステップＳＴ２では、デジタル放送信号が受信されたことを前提として、視聴者の操作によってリモコン８０の番組ガイドキー８０ｂが押下される。これに伴い、ＥＰＧ画面表示処理動作が起動される。次に符号ＳＴ３を付したステップへ進む。
【００８６】
ステップＳＴ３では、ＥＰＧ画面表示処理動作が起動されると、ＳＴＢ１２に事前に設定されている検索キーの読み込み動作が行われる。前記検索キーには番組放送として送られてくる番組カテゴリーと同じ種類の番組カテゴリーがＳＴＢ１２で設定できるようになっている。検索キーとして使用する前記番組カテゴリー設定は、ＳＴＢ１２に搭載されている設定メニューにおいて事前に設定が可能な構成になっている。次に符号ＳＴ４を付したステップへ進む。
【００８７】
ステップＳＴ４では、受信されたデジタル放送信号から読み込まれた検索カテゴリー設定に従って、該当番組の検索抽出処理が行われる。次に符合ＳＴ５を付したステップへ進む。
【００８８】
ステップＳＴ５では、まず、図７に示す検索カテゴリー設定１（７１ａ）で検索抽出が行われ、該当番組が存在した場合は、ステップＳＴ６へ進む。該当番組が存在しない場合は、ステップＳＴ７へ進む。
【００８９】
ステップＳＴ６では、その該当番組における番組タイトル情報、該当番組が存在するチャンネル番号識別情報、番組放送の放送開始時間情報、番組放送の放送時間の長さを示すレングス情報及び番組カテゴリー情報が、抽出された該当番組における番組放送を特定するための番組識別番号（ｅｖｅｎｔ＿ｉｄ）に対して関連づけられてデータとして順次記憶されデータベース化される。検索カテゴリー設定１（７１ａ）で検索抽出が全て完了すると、ステップＳＴ７へ進む。
【００９０】
ステップＳＴ７では、ステツプＳＴ３で読み込まれた検索キー（番組カテゴリー）が他にもあるか否かを判断し、他にもあると判断された場合は、ステップＳＴ４へ戻る。上述した方法と同様な手順により、次の検索カテゴリー設定２（７１ｂ）、検索カテゴリー設定３（７１ｂ）においても、該当番組の検索抽出処理を実行する。ステツプＳＴ３で読み込まれた全ての検索キー（番組カテゴリー）の番組検索が終了するとステップＳＴ８へ進む。
【００９１】
ステップＳＴ８では、ステップＳＴ６で作成されたデータベースにおいて番組カテゴリー情報を用いてステップＳＴ３で読み込まれた検索キー（番組カテゴリー）毎にソートが行われる。続いて符合ＳＴ８ａを付したステップへ進む。
【００９２】
ステップＳＴ８ａでは、ステップＳＴ８で番組カテゴリー毎にソートしたデータの中から、さらに同一番組タイトルの番組の検索、判断が行なわれる。同一番組タイトルの番組が存在すると判断された場合は、符号ステップＳＴ８ｂを付したステップへ進む。同一番組タイトルの番組が存在しない（なし）と判断された場合は、符号ステップＳＴ８ｃを付したステップへ進む。
【００９３】
ステップＳＴ８ｂでは、同一番組タイトルでチャンネル番号のソートが行われる。次に符号ステップＳＴ８ｃを付したステップへ進む。
【００９４】
ステップＳＴ８ｃでは、さらに番組開始時刻でソートされる。ＥＰＧ画面に表示される時は前記処理で分類ソートされたチャンネルを優先して順に表示が行われる。
【００９５】
ここで、上記図５を用いて説明したフローチャートの処理に基づいて表示されるＥＰＧ画面について、図３を参照して詳しく説明する。尚、図２と同一な部分は同一の符号を付して、説明は省略する。
【００９６】
ここでは、検索カテゴリー設定３の「洋画」において検索された番組に同一番組タイトルの番組が存在した場合の例について説明する。
【００９７】
検索カテゴリー設定１の「洋楽」、検索カテゴリー設定２の「野球」については図４と同様の検索結果であるため、説明は省略する。検索カテゴリー設定３の「洋画」という番組カテゴリーに対して、番組欄５３ｃには、同一番組カテゴリーで、かつ同一番組タイトルの「ロストワールド」という番組が存在する１１４チャンネルと３９１チャンネルと６３１チャンネルがチャンネル表示欄５２に表示されている。ここで、前記３つのチャンネル番号の表示順は、ステップＳＴ８ｃにおいて放送開始時刻順にソート処理が行われるため、前述した順位で表示されることになる。
【００９８】
以上詳述したように、図２に示すようなＥＰＧ画面の表示によれば、視聴者は予め所望する番組が番組カテゴリー毎に分類されて、ＥＰＧ画面起動と同時に表示されるので、放送されている全てのチャンネルが表示される従来のＥＰＧ画面における煩雑なカーソル操作が軽減される。また、表示されるチャンネルは番組カテゴリー毎に分類、纏めて表示されるため、視聴者が番組選択する際に、同一カテゴリーの番組の比較も容易で煩雑なカーソル操作が最小限となり、番組選択が容易に行える。
【００９９】
また、図３に示すようなＥＰＧ画面の表示によれば、同一番組タイトルの番組については纏めてかつ時系列的に表示されるため、放送開始時刻を見逃すこともない。
【０１００】
さらに、このＥＰＧ画面表示方法では、仮に、デジタル放送における放送規格であるＡＲＩＢで規定されているＮＶＯＤ記述子が運用されず、送られていない場合でも、ＮＶＯＤ形態の番組を容易に検索することが可能である。
【０１０１】
次にこの発明に係る他の実施の形態を説明する。
【０１０２】
図８及び図９はこの発明に係る他の実施の形態を説明する図である。
【０１０３】
ここではＢＳデジタル放送において、ＡＲＩＢ規格でデータ放送の操作用時に割り当てられているリモコン８０に設けられた、カラーキー８０ｅを使用して操作を容易にしたものである。
【０１０４】
すなわち、カラーキー８０ｅの各キーにおいては、青キーに検索番組カテゴリー設定１に設定されている「洋楽」が割り当てられ、赤キーには、検索番組カテゴリー設定２に設定されている「野球」が割り当てられ、緑キーには、検索番組カテゴリー設定３に設定されている「洋画」が割り当てられている。また、操作方法は操作説明欄５５内に各カラーキーに対する操作説明５５ａにより表示説明されている。
【０１０５】
図８は青キーが選択押下され、洋楽番組が表示される例である。
【０１０６】
図９は緑キーが選択押下され、洋画番組が表示される例である。
【０１０７】
視聴者は、例えば図８のＥＰＧ画面（洋楽）が表示されている場合において、検索カテゴリー設定３の「洋画」に該当する番組を表示させたい場合は、操作説明５５ａに従いリモコン８０の緑キーを押下することによってり、図９に示すように番組カテゴリーが「洋画」に該当するチャンネルのＥＰＧ表示画面に簡単に切換えることができる。また、この発明のＥＰＧ画面表示においては、ＥＰＧ画面起動時に検索キーにより抽出されたチャンネルが表示される。また、黄キーが押下されることにより、チャンネル番号順のＥＰＧ画面表示に切り換えることも可能である。
【０１０８】
このように例えば洋楽番組と洋画番組等、ジャンルの異なる番組表表示を簡単な操作で切換え表示することができる。
【０１０９】
【発明の効果】
上記説明したように、この発明によれば、多チャンネルの形態で行われる放送（例えばデジタル放送等）において視聴者が所望する番組の選択時に、頻繁に使用されるＥＰＧを提供することができる。また、多くのチャンネルの中から視聴者が所望する番組が属するチャンネルが表示されたＥＰＧ画面の表示方法を提供することができる。
【０１１０】
また、この発明によれば、従来のＥＰＧ画面における煩雑なカーソル操作を軽減することができる。
【０１１１】
また、この発明によれば、表示されるチャンネルは番組カテゴリー毎に分類、纏めて表示されるため、視聴者が番組を選択する際に、同一カテゴリーの番組の比較も容易に行うことができる。
【０１１２】
また、この発明によれば、同一カテゴリーの番組において、同一番組タイトルの番組が存在した場合は、時系列的に表示することができるため、視覚的に認識が容易であり、例えば、視聴者が番組開始時刻を見逃すということを防止することができる。
【０１１３】
また、この発明によれば、デジタル放送において規格化されているＮＶＯＤ記述子情報が運用されていない場合においても、ＥＰＧ画面表示上にＮＶＯＤ形式と同様な形式での表示を行うことが可能である。
【０１１４】
また、この発明によれば、検索により抽出された同一カテゴリーの番組が属するチャンネルが多い場合においても、例えばＢＳデジタル放送におけるデータ放送操作用として規定されているカラーキー等を用いることにより、特にリモコンのキーを増やさすことなく、容易に他の検索キーに設定されている番組カテゴリーのチャンネルにジャンプすることができる。このため、ＥＰＧ画面を用いた番組選択時に、従来問題となっていたカーソルキーによる煩雑なスクロール操作を軽減することができる。
【図面の簡単な説明】
【図１】この発明に係る放送受信装置の概略構成を示すブロック図。
【図２】この発明に係るＥＰＧ画面の一例を示す図。
【図３】この発明に係るＥＰＧ画面の他の例を示す図。
【図４】この発明に係るＥＰＧ画面表示の表示手順を示すフローチャート。
【図５】この発明に係るＥＰＧ画面表示の表示手順を示すフローチャート。
【図６】この発明に係るリモコンの概観図。
【図７】この発明に係る番組カテゴリーの設定を説明する図。
【図８】この発明に係る他の実施の形態を説明する図。
【図９】この発明に係る他の実施の形態を説明する図。
【図１０】従来の放送受信装置のＥＰＧ画面を示す図。
【図１１】従来の放送受信装置のＥＰＧ画面を示す図。
【符号の説明】
１１・・・アンテナ
１２・・・ＳＴＢ（セットトップボック）
１３・・・アナログテレビ受像機
１４・・・ビデオ録画記録機
２１・・・チューナ
２２・・・８ＰＳＫ復調器
２３・・・エラー訂正器
２４・・・ディスクランブラ
２５・・・パケット分離器
２６・・・パケッ分離メモリ
２７・・・ＭＰＥＧデコーダ
２８・・・ＭＰＥＧメモリ
２９・・・ビデオ信号デジタル／アナログ変換器
３０・・・オーディオ信号デジタル／アナログ変換器
３１・・・表示制御器
３２・・・バス回線
３３・・・ＣＰＵ
３４・・・プログラムメモリ
３５・・・ワークメモリ
３６ａ・・・データメモリ
３７・・・漢字ＲＯＭ
３８・・・入出力制御
３９・・・ＩＣカード制御
３９ａ・・ＩＣカード
４０・・・モデム
４１・・・リモコン・表示パネル
４２・・・電話回線
８０・・・リモートコントローラ
８０ａ・・赤外線信号出力部
８０ｂ・・番組表表示キー
８０ｃ・・カーソルキー
８０ｄ・・決定キー
８０ｅ・・カラーキー
【図１】
2004032624.tif 000003
【図２】
2004032624.tif 000004
【図３】
2004032624.tif 000005
【図４】
2004032624.tif 000006
【図５】
2004032624.tif 000007
【図６】
2004032624.tif 000008
【図７】
2004032624.tif 000009
【図８】
2004032624.tif 000010
【図９】
2004032624.tif 000011
【図１０】
2004032624.tif 000012
【図１１】
2004032624.tif 000013